(57)【要約】【課題】接続端子が３段以上に配置された端子台を提供すること。【解決手段】端子台が、ベースと、ベースに設けられた支持体と、支持体にそれぞれ支持された第１端子対、第２端子対および第３端子対とを備える。第１端子対の第１接続端子および第２接続端子を接続する第１電線の連結線が第１直線に沿って配置され、第２端子対の第１接続端子および第２接続端子を接続する第２電線の連結線が第２直線に沿った配置されている。ベースが、第１電線の連結線と第２電線の連結線との間を通って第３端子対の第１接続端子および第２接続端子を接続する第３電線の連結線まで延びて、第３電線の連結線を支持する支持突起を有している。【選択図】図２
2020107426.tif 000002
【特許請求の範囲】
【請求項１】
設置面を有する絶縁性のベースと、
前記設置面上に設けられた絶縁性の支持体と、
前記支持体にそれぞれ支持された第１端子対、第２端子対および第３端子対と
を備え、
前記第１端子対、前記第２端子対および前記第３端子対の各々が、第１接続端子および第２接続端子をそれぞれ有し、前記第１端子対の前記第１接続端子および前記第２接続端子が、第１電線により相互の電気的に接続され、前記第２端子対の前記第１接続端子および前記第２接続端子が、第２電線により相互の電気的に接続され、前記第３端子対の前記第１接続端子および前記第２接続端子が、第３電線により相互の電気的に接続され、
前記第１端子対の前記第１接続端子、前記第２端子対の前記第１接続端子、前記第３端子対の前記第１接続端子、前記第３端子対の前記第２接続端子、前記第１端子対の前記第２接続端子および前記第２端子対の前記第２接続端子の順に、前記設置面に沿った第１方向に並んで配置され、
前記第１端子対、前記第２端子対および前記第３端子対が、相互に電気的に独立して配置されている端子台であって、
前記第１端子対の前記第１接続端子、前記第２端子対の前記第１接続端子および前記第３端子対の前記第１接続端子は、前記第１端子対の前記第１接続端子から前記第３端子対の前記第１接続端子に向かうに従って、前記設置面に交差する第２方向において前記設置面から遠くなる階段状に配置され、
前記第１電線、前記第２電線および前記第３電線の各々は、
前記第２方向に延びて前記第１接続端子に接続された第１接続線と、前記第２方向に延びて前記第２接続端子に接続された第２接続線と、前記第２方向において前記ベースと前記支持体との間に設けられた電線通路部に配置されていると共に前記第１方向に延びて前記第１接続線および前記第２接続線を連結する連結線とを有し、
前記第１電線の前記連結線が、前記第１方向に延びる第１直線に沿って配置され、前記第２電線の前記連結線が、前記第１直線に対して前記第１方向および前記第２方向に交差する第３方向に間隔を空けて配置された第２直線に沿って配置され、
前記第１電線の前記連結線と前記第３電線の前記連結線との間に前記第２電線の前記連結線が配置され、前記第１電線の前記連結線が、前記第３電線の前記連結線よりも前記第２方向において前記設置面の近くに配置され、
前記ベースが、前記設置面から前記第１電線の前記連結線と前記第２電線の前記連結線との間を通って前記第３電線の前記連結線まで延びて、前記第３電線の前記連結線を支持する支持突起を有している、端子台。
【請求項２】
前記第３電線の前記連結線は、第１接続線側の端部が前記第１直線上に配置され、第２接続線側の端部が前記第２直線上に配置されて、前記第１直線および前記第２直線に交差する方向に延びている、請求項１の端子台。
【請求項３】
前記支持突起が、前記第３電線の前記連結線に加えて、前記第２電線の前記連結線を支持する突出部を有している、請求項２の端子台。
【請求項４】
前記支持体が、
前記電線通路部に配置されて、前記第１電線の前記第２接続線まわりを取り囲む絶縁性の第１カバー壁部を有する、請求項１から３のいずれか１つの端子台。
【請求項５】
前記支持体が、
前記電線通路部に配置されて、前記第３電線の前記連結線の第２接続線側の端部を取り囲むと共に、前記第２方向において前記第２電線の前記連結線まで延びる絶縁性の第２カバー壁部を有している、請求項１から４のいずれか１つの端子台。
【請求項６】
前記第１電線、前記第２電線および前記第３電線の各々が棒状を有している、請求項１から５のいずれか１つの端子台。
【発明の詳細な説明】
【技術分野】
【０００１】
本開示は、例えば、電磁継電器を接続可能な端子台に関する。
【背景技術】
【０００２】
特許文献１には、ソケット本体と、このソケット本体の内部に収容された複数の外部接続端子および複数の圧接端子とを備えている。各外部接続端子は、リレーの各端子が圧入されると共に、リード線を介して対応する１つの圧接端子に接続されている。
【先行技術文献】
【特許文献】
【０００３】
【特許文献１】特開２００３−３４６９３９号公報
【発明の概要】
【発明が解決しようとする課題】
【０００４】
近年の電磁継電器の多様化に伴って、リレーが接続されるソケット装置も多様化に対応することが要請されている。例えば、前記ソケット装置では、圧接端子が高さ方向に上下２段で配置されているが、圧接端子が上下３段以上に配置されたソケット装置の実現が要請されている。
【０００５】
本開示は、接続端子が３段以上に配置された端子台を提供することを課題とする。
【課題を解決するための手段】
【０００６】
本開示の一例の端子台は、
設置面を有する絶縁性のベースと、
前記設置面上に設けられた絶縁性の支持体と、
前記支持体にそれぞれ支持された第１端子対、第２端子対および第３端子対と
を備え、
前記第１端子対、前記第２端子対および前記第３端子対の各々が、第１接続端子および第２接続端子をそれぞれ有し、前記第１端子対の前記第１接続端子および前記第２接続端子が、第１電線により相互の電気的に接続され、前記第２端子対の前記第１接続端子および前記第２接続端子が、第２電線により相互の電気的に接続され、前記第３端子対の前記第１接続端子および前記第２接続端子が、第３電線により相互の電気的に接続され、
前記第１端子対の前記第１接続端子、前記第２端子対の前記第１接続端子、前記第３端子対の前記第１接続端子、前記第３端子対の前記第２接続端子、前記第１端子対の前記第２接続端子および前記第２端子対の前記第２接続端子の順に、前記設置面に沿った第１方向に並んで配置され、
前記第１端子対、前記第２端子対および前記第３端子対が、相互に電気的に独立して配置されている端子台であって、
前記第１端子対の前記第１接続端子、前記第２端子対の前記第１接続端子および前記第３端子対の前記第１接続端子は、前記第１端子対の前記第１接続端子から前記第３端子対の前記第１接続端子に向かうに従って、前記設置面に交差する第２方向において前記設置面から遠くなる階段状に配置され、
前記第１電線、前記第２電線および前記第３電線の各々は、
前記第２方向に延びて前記第１接続端子に接続された第１接続線と、前記第２方向に延びて前記第２接続端子に接続された第２接続線と、前記第２方向において前記ベースと前記支持体との間に設けられた電線通路部に配置されていると共に前記第１方向に延びて前記第１接続線および前記第２接続線を連結する連結線とを有し、
前記第１電線の前記連結線が、前記第１方向に延びる第１直線に沿って配置され、前記第２電線の前記連結線が、前記第１直線に対して前記第１方向および前記第２方向に交差する第３方向に間隔を空けて配置された第２直線に沿って配置され、
前記第１電線の前記連結線と前記第３電線の前記連結線との間に前記第２電線の前記連結線が配置され、前記第１電線の前記連結線が、前記第３電線の前記連結線よりも前記第２方向において前記設置面の近くに配置され、
前記ベースが、前記設置面から前記第１電線の前記連結線と前記第２電線の前記連結線との間を通って前記第３電線の前記連結線まで延びて、前記第３電線の前記連結線を支持する支持突起を有している。
【発明の効果】
【０００７】
前記端子台によれば、第１端子対の第１接続端子、第２端子対の第１接続端子および第３端子対の第１接続端子が階段状に配置されている。また、第１端子対の第１接続端子および第２接続端子を接続する第１電線の連結線と、第３端子対の第１接続端子および第２接続端子を接続する第３電線の連結線との間に、第２端子対の第１接続端子および第２接続端子を接続する第２電線の連結線が配置され、第１電線の連結線が、第３電線の連結線よりも第２方向において設置面の近くに配置されている。さらに、ベースが、設置面から第１電線の連結線と第２電線の連結線との間を通って第３電線の連結線まで延びて、第３電線の連結線を支持する支持突起を有している。このような構成により、各端子対の第１接続端子が、第２方向の位置が異なる３段以上に配置された端子台を容易に実現できる。
【図面の簡単な説明】
【０００８】
【図１】本開示の一実施形態の端子台を示す斜視図。
【図２】図１のII-II線に沿った断面図。
【図３】図１の端子台のハウジングを取り除いた状態の底面図。
【図４】図１の端子台のハウジングを取り除いた状態の側面図。
【発明を実施するための形態】
【０００９】
以下、本開示の一例を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した本開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１０】
本開示の一実施形態の端子台１は、図１および図２に示すように、絶縁性のハウジング１０と、絶縁性の支持体２０とを備えている。ハウジング１０は、例えば、略直方体の箱状で、その内部に支持体２０が収容されている。支持体２０には、相互に電気的に独立して配置された複数の端子対が支持されている。この実施形態では、端子台１は、複数の端子対として、２組の第１端子対３０、第２端子対４０および第３端子対５０を有している。２組の第１端子対３０、第２端子対４０および第３端子対５０は、ハウジング１０の長手方向Ｘに延びる中心線ＣＬ（図３に示す）に対して対称に配置されている。
【００１１】
ハウジング１０は、図２に示すように、設置面１３を有するベース１１と、設置面１３を覆うカバー１２とを有している。
【００１２】
ベース１１は、略矩形の板状で、その設置面１３に支持体２０が設けられている。ベース１１は、後述する第３電線６３の連結線６３３を支持する支持突起１１１を有している。支持突起１１１は、略矩形の板状を有し、設置面１３のその長手方向における第１端子対３０の後述する第１接続端子３１と第２接続端子３２との間に配置され、設置面１３から、第１電線６１の連結線６１３と第２電線６２の連結線６２３との間を通って（図３参照）、第３電線６３の連結線６３３まで延びている。支持突起１１１には、板面から第２電線６２の連結線６２３に向かって突出する２つの突出部１１２が設けられている。各突出部１１２は、設置面１３に直交する方向に延びている。各突出部１１２は、設置面１３から遠い方の端部で第２電線６２の連結線６２３を支持可能に構成されている（図３および図４参照）。
【００１３】
カバー１２は、ハウジング１０の内部の各端子対３０、４０、５０に、電磁継電器１００の端子を接続するための複数の第１開口１４と、外部配線１１０を接続するための複数の第２開口１５とを有している。この実施形態では、第１開口１４および第２開口１５は、カバー１２の設置面１３に対向する接続面１６にそれぞれ６つずつ設けられている。第１開口１４の各々は、接続面１６の長手方向（すなわち、ハウジング１０の長手方向Ｘ）の略中央部に配置され、接続面１６の長手方向Ｘに沿って並んだ３つの第１開口１４の列が、接続面１６の短手方向Ｙに間隔を空けて２つ設けられている。第２開口１５の各々は、接続面１６の長手方向の一端部に配置され、第１開口１４と同様に、接続面１６の長手方向Ｘに沿って並んだ３つの第２開口１５の列が、接続面１６の短手方向Ｙに間隔を空けて２つ設けられている。
【００１４】
各端子対３０、４０、５０は、図２に示すように、第１接続端子３１、４１、５１および第２接続端子３２、４２、５２をそれぞれ有している。各第１接続端子３１、４１、５１は、外部配線１１０が接続可能に構成され、カバー１２の第２開口１５近傍にそれぞれ配置されている。各第２接続端子３２、４２、５２は、電磁継電器１００の端子が接続可能に構成され、カバー１２の第１開口１４近傍にそれぞれ配置されている。
【００１５】
第１端子対３０の第１接続端子３１および第２接続端子３２は、第１電線６１により相互の電気的に接続されている。第２端子対４０の第１接続端子４１および第２接続端子４２は、第２電線６２により相互の電気的に接続されている。第３端子対５０の第１接続端子５１および第２接続端子５２が、第３電線６３により相互の電気的に接続されている。
【００１６】
図２に示すように、各端子対３０、４０、５０の第１接続端子３１、４１、５１および第２接続端子３２、４２、５２は、第１方向Ｘ（すなわち、ハウジング１０の長手方向）沿いをハウジング１０の第１方向Ｘの一端から他端に向かって、第１端子対３０の第１接続端子３１、第２端子対４０の第１接続端子４１、第３端子対５０の第１接続端子５１、第３端子対５０の第２接続端子５２、第１端子対３０の第２接続端子３２および第２端子対４０の第２接続端子４２の順に並んで配置されている。また、第１端子対３０の第１接続端子３１、第２端子対４０の第１接続端子４１および第３端子対５０の第１接続端子５１は、第１端子対３０の第１接続端子３１から第３端子対５０の第１接続端子に向かうに従って、第２方向Ｚ（すなわち、設置面１３に交差（例えば、直交）する方向）において設置面１３から遠くなる階段状に配置されている。
【００１７】
第１電線６１、第２電線６２および第３電線６３の各々は、例えば、略Ｃ字の棒状で、図２に示すように、第２方向Ｚに直線的に延びる第１接続線６１１、６２１、６３１および第２接続線６１２、６２２、６３２と、第１方向Ｘに直線的に延びて第１接続線および第２接続線を連結する連結線６１３、６２３、６３３とを有している。各第１接続線６１１、６２１、６３１は、延在方向の一端が第１接続端子３１、４１、５１に接続され、延在方向の他端が連結線６１３、６２３、６３３に接続されている。各第２接続線６１２、６２２、６３２は、延在方向の一端が第２接続端子３２、４２、５２に接続され、延在方向の他端が連結線６１３、６２３、６３３に接続されている。
【００１８】
第１電線６１の連結線６１３は、ベース１１の設置面１３に沿って配置され、第３電線６３の連結線６３３は、後述する電線通路部１７を構成する支持体２０の底面２０１に沿って配置されている。すなわち、第１電線６１の連結線６１３と第３電線６３の連結線６３３との間に第２電線６２の連結線６２３が配置され、第２方向Ｚにおいて、第１電線６１の連結線６１３が第３電線６３の連結線６３３よりも設置面１３の近くに配置されている。
【００１９】
図２に示すように、ハウジング１０内部の第２方向Ｚにおけるベース１１と支持体２０との間には、電線通路部１７が設けられている。各電線６１、６２、６３の連結線６１３、６２３、６３３は、この電線通路部１７に配置されている。
【００２０】
図３に示すように、第１電線６１の連結線６１３は、第１方向Ｘに延びる第１直線Ｌ１に沿って配置されている。第２電線６２の連結線６２３は、第１直線Ｌ１に対して第１方向Ｘおよび第２方向Ｚに交差（例えば、直交）する第３方向Ｙに間隔を空けて配置された第２直線Ｌ２に沿って配置されている。このように、第１電線６１の連結線６１３を第１直線Ｌ１に沿って配置し、第２電線６２の連結線６２３を第２直線Ｌ２に沿って配置することで、第１電線６１の連結線６１３と第２電線６２の連結線６２３との間の絶縁を確保している。
【００２１】
第３電線６３の連結線６３３は、第１接続線６３１側の端部が第１直線Ｌ１上に配置され、第２接続線６３２側の端部が第２直線Ｌ２上に配置されて、第１直線Ｌ１および第２直線Ｌ２に交差する方向に延びている。このように、第３電線６３の連結線６３３を第１直線Ｌ１および第２直線Ｌ２に交差するように配置することで、ベース１１の支持突起１１１の第３電線６３に対する支持面積を大きくすることができる。なお、図３は、各端子対３０、４０、５０を支持した支持体２０を図２の矢印Ａ方向から見た底面図である。
【００２２】
図４に示すように、支持体２０は、電線通路部１７に配置されて、第１電線６１の第２接続線６１２を取り囲む絶縁性の第１カバー壁部２１と、第３電線６３の連結線６３３の第２接続線６３２側の端部６３４を取り囲む絶縁性の第２カバー壁部２２とを有している。なお、図４は、各端子対３０、４０、５０を支持した支持体２０を図３の矢印Ｂ方向から見た側面図である。
【００２３】
第１カバー壁部２１は、略直方体状を有し、電線通路部１７を形成する支持体２０の底面２０１から、第２方向Ｚ沿いをベース１１に向かって、第１電線６１の連結線６１３まで延びている。この第１カバー壁部２１によって、第１電線６１の移動を規制しつつ、第１電線６１の第２接続線６１２と第２電線６２の連結線６２３との間の絶縁を確保している。
【００２４】
第２カバー壁部２２は、略直方体状を有し、支持体２０の底面２０１から、第２方向Ｚ沿いをベース１１に向かって、第２電線６２の連結線６２３まで延びている。第２カバー壁部２２には、第２方向Ｚに延びると共に第３電線６３の第１接続線６３１に向かって開口する溝６３５を有している。この第２カバー壁部２２によって、第３電線６３の移動を規制しつつ、第２電線６２の連結線６２３と第３電線６３の連結線６３３との間の絶縁を確保している。
【００２５】
また、支持体２０は、電線通路部１７に配置されて、第２電線６２の第１接続線６２１を取り囲む絶縁性の第３カバー壁部２３と、第２電線６２の第２接続線６２２を取り囲む絶縁性の第４カバー壁部２４とを有している。第３カバー壁部２３および第４カバー壁部２４の各々は、第１カバー壁部２１と同様に、略直方体状を有し、支持体２０の底面２０１から、第２方向Ｚ沿いをベース１１に向かって、第１電線６１の連結線６１３まで延びている。第３カバー壁部２３および第４カバー壁部２４の各々には、第２方向Ｚに延びると共に第１方向Ｘにおいて相互に対向するように開口する溝６２４、６２５を有している。この第３カバー壁部２３および第４カバー壁部２４によって、第２電線６２の移動を規制しつつ、第１電線６１の連結線６１３と第２電線６２の連結線６２３との間の絶縁を確保している。
【００２６】
なお、図２に示すように、端子台１は、第１端子対３０、第２端子対４０および第３端子対５０に加えて、第４端子対７０を備えている。第４端子対７０は、他の端子対３０、４０、５０と同様に、第４電線６４で接続された第１接続端子７１および第２接続端子７２を有している。ハウジング１０の接続面１６には、第４電線６４の第１接続端子７１に外部配線１１０を接続するための開口１５１と、第４電線６４の第２接続端子７２に電磁継電器１００の端子を接続するための開口１４１（図１に示す）とが設けられている。
【００２７】
前記端子台１によれば、第１端子対３０の第１接続端子３１、第２端子対４０の第１接続端子４１および第３端子対５０の第１接続端子５１が、第１端子対３０の第１接続端子３１から第３端子対５０の第１接続端子５１に向かうに従って、第２方向Ｚにおいて設置面１３から遠くなる階段状に配置されている。また、第１端子対３０の第１接続端子３１および第２接続端子３２を接続する第１電線６１の連結線６１３と、第３端子対５０の第１接続端子５１および第２接続端子５２を接続する第３電線６３の連結線６３３との間に、第２端子対４０の第１接続端子４１および第２接続端子４２を接続する第２電線６２の連結線６２３が配置され、第１電線６１の連結線６１３が、第３電線６３の連結線６３３よりも第２方向において設置面１３の近くに配置されている。さらに、ベース１１が、設置面１３から第１電線６１の連結線６１３と第２電線６２の連結線６２３との間を通って第３電線６３の連結線６３３まで延びて、第３電線６３の連結線６３３を支持する支持突起１１１を有している。このような構成により、各端子対３０、４０、５０の第１接続端子３１、４１、５１が、第２方向Ｚの位置が異なる３段以上に配置された端子台を容易に実現できる。
【００２８】
また、第３電線６３の連結線６３３は、第１接続線６３１側の端部６３４が第１直線Ｌ１上に配置され、第２接続線６３２側の端部が第２直線Ｌ２上に配置されて、第１直線Ｌ１および第２直線Ｌ２に交差する方向に延びている。このような構成により、支持突起１１１の第３電線６３の連結線６３３に対する支持面積を大きくすることができるので、第３電線６３の連結線６３３をより確実に位置決めすることができる。
【００２９】
また、支持突起１１１が、第３電線６３の連結線６３３に加えて、第２電線６２の連結線６２３を支持する突出部１１２を有している。このような構成により、第３電線６３の連結線６３３に加えて、第２電線６２の連結線６２３をより確実に位置決めすることができる。
【００３０】
また、支持体２０が、電線通路部１７に配置されて、第１電線６１の第２接続線６１２まわりを取り囲む絶縁性の第１カバー壁部２１を有している。このような構成により、第１電線６１の移動を規制しつつ、第１電線６１の第２接続線６１２と第２電線６２の連結線６２３との間の絶縁を確保することができる。その結果、例えば、設計通りの絶縁性能を発揮できる端子台１を容易に実現できる。
【００３１】
また、支持体２０が、電線通路部１７に配置されて、第３電線６３の連結線６３３の第２接続線６３２側の端部を取り囲むと共に、第２方向Ｚにおいて第２電線６２の連結線６２３まで延びる絶縁性の第２カバー壁部２２を有している。このような構成により、第３電線６３の移動を規制しつつ、第２電線６２の連結線６２３と第３電線６３の連結線６３３との間の絶縁を確保することができる。
【００３２】
また、各電線６１、６２、６３が棒状を有している。このような構成により、各電線６１、６２、６３を位置決めし易くなるので、各電線６１、６２、６３間の絶縁を容易に確保することができる。
【００３３】
なお、各電線６１、６２、６３、６４は、例えば、約１．５ｍｍの直径を有し、単一の金属材料で構成されている。各電線６１、６２、６３、６４の断面形状は、円形、楕円形および多角形のいずれの形状であってもよい。
【００３４】
第３電線６３の連結線６３３は、第１直線Ｌ１および第２直線Ｌ２に交差する方向に延びている場合に限らず、第１直線Ｌ１および第２直線Ｌ２のいずれかに平行に延びていてもよい。
【００３５】
支持突起１１１は、ベース１１の設置面１３から、第１電線６１の連結線６１３と第２電線６２の連結線６２３との間を通って、第３電線６３の連結線６３３まで延びて、第３電線６３の連結線６３３を支持することができればよい。例えば、支持突起１１１は、略矩形の板状に限らず、円柱状あるいは角柱状であってもよい。また、突出部１１２を省略してもよい。
【００３６】
第１カバー壁部２１および第２カバー壁部２２は、いずれか一方のみ設けてもよいし、両方とも省略してもよい。
【００３７】
以上、図面を参照して本開示における種々の実施形態を詳細に説明したが、最後に、本開示の種々の態様について説明する。なお、以下の説明では、一例として、参照符号も添えて記載する。
【００３８】
本開示の第１態様の端子台１は、
設置面１３を有する絶縁性のベース１１と、
前記設置面１３上に設けられた絶縁性の支持体２０と、
前記支持体２０にそれぞれ支持された第１端子対３０、第２端子対４０および第３端子対５０と
を備え、
前記第１端子対３０、前記第２端子対４０および前記第３端子対５０の各々が、第１接続端子３１、４１、５１および第２接続端子３２、４２、５２をそれぞれ有し、前記第１端子対３０の前記第１接続端子３１および前記第２接続端子３２が、第１電線６１により相互の電気的に接続され、前記第２端子対４０の前記第１接続端子４１および前記第２接続端子４２が、第２電線６２により相互の電気的に接続され、前記第３端子対５０の前記第１接続端子５１および前記第２接続端子５２が、第３電線６３により相互の電気的に接続され、
前記第１端子対３０の前記第１接続端子３１、前記第２端子対４０の前記第１接続端子４１、前記第３端子対５０の前記第１接続端子５１、前記第３端子対５０の前記第２接続端子５２、前記第１端子対３０の前記第２接続端子３２および前記第２端子対４０の前記第２接続端子４２の順に、前記設置面１３に沿った第１方向Ｘに並んで配置され、
前記第１端子対３０、前記第２端子対４０および前記第３端子対５０が、相互に電気的に独立して配置されている端子台であって、
前記第１端子対３０の前記第１接続端子３１、前記第２端子対４０の前記第１接続端子４１および前記第３端子対５０の前記第１接続端子５１は、前記第１端子対３０の前記第１接続端子３１から前記第３端子対５０の前記第１接続端子５１に向かうに従って、前記設置面１３に交差する第２方向Ｚにおいて前記設置面１３から遠くなる階段状に配置され、
前記第１電線６１、前記第２電線６２および前記第３電線６３の各々は、
前記第２方向Ｚに延びて前記第１接続端子３１、４１、５１に接続された第１接続線６１１、６２１、６３１と、前記第２方向Ｚに延びて前記第２接続端子３２、４２、５２に接続された第２接続線６１２、６２２、６３２と、前記第２方向Ｚにおいて前記ベース１１と前記支持体２０との間に設けられた電線通路部１７に配置されていると共に前記第１方向Ｘに延びて前記第１接続線６１１、６２１、６３１および前記第２接続線６１２、６２２、６２３を連結する連結線６１３、６２３、６３３とを有し、
前記第１電線６１の前記連結線６１３が、前記第１方向Ｘに延びる第１直線Ｌ１に沿って配置され、前記第２電線６２の前記連結線６２３が、前記第１直線Ｌ１に対して前記第１方向Ｘおよび前記第２方向Ｚに交差する第３方向Ｙに間隔を空けて配置された第２直線Ｌ２に沿って配置され、
前記第１電線６１の前記連結線６１３と前記第３電線６３の前記連結線６３３との間に前記第２電線６２の前記連結線６２３が配置され、前記第１電線６１の前記連結線６１３が、前記第３電線６３の前記連結線６３３よりも前記第２方向Ｚにおいて前記設置面１３の近くに配置され、
前記ベース１１が、前記設置面１３から前記第１電線６１の前記連結線６１３と前記第２電線６２の前記連結線６２３との間を通って前記第３電線６３の前記連結線６３３まで延びて、前記第３電線６３の前記連結線６３３を支持する支持突起１１１を有している。
【００３９】
第１態様の端子台１によれば、第１端子対３０の第１接続端子３１、第２端子対４０の第１接続端子４１および第３端子対５０の第１接続端子５１が、第１端子対３０の第１接続端子３１から第３端子対５０の第１接続端子５１に向かうに従って、第２方向Ｚにおいて設置面１３から遠くなる階段状に配置されている。また、第１端子対３０の第１接続端子３１および第２接続端子３２を接続する第１電線６１の連結線６１３と、第３端子対５０の第１接続端子５１および第２接続端子５２を接続する第３電線６３の連結線６３３との間に、第２端子対４０の第１接続端子４１および第２接続端子４２を接続する第２電線６２の連結線６２３が配置され、第１電線６１の連結線６１３が、第３電線６３の連結線６３３よりも第２方向において設置面１３の近くに配置されている。さらに、ベース１１が、設置面１３から第１電線６１の連結線６１３と第２電線６２の連結線６２３との間を通って第３電線６３の連結線６３３まで延びて、第３電線６３の連結線６３３を支持する支持突起１１１を有している。このような構成により、各端子対３０、４０、５０の第１接続端子３１、４１、５１が、第２方向Ｚの位置が異なる３段以上に配置された端子台を容易に実現できる。
【００４０】
本開示の第２態様の端子台１は、
前記第３電線６３の前記連結線６３３は、第１接続線６３１側の端部６３４が前記第１直線Ｌ１上に配置され、第２接続線６３２側の端部が前記第２直線Ｌ２上に配置されて、前記第１直線Ｌ１および前記第２直線Ｌ２に交差する方向に延びている。
【００４１】
第２態様の端子台１によれば、支持突起１１１の第３電線６３の連結線６３３に対する支持面積を大きくすることができるので、第３電線６３の連結線６３３をより確実に位置決めすることができる。
【００４２】
本開示の第３態様の端子台１は、
前記支持突起１１１が、前記第３電線６３の前記連結線６３３に加えて、前記第２電線６２の前記連結線６２３を支持する突出部１１２を有している。
【００４３】
第３態様の端子台１によれば、第３電線６３の連結線６３３に加えて、第２電線６２の連結線６２３をより確実に位置決めすることができる。
【００４４】
本開示の第４態様の端子台１は、
前記支持体２０が、
前記電線通路部１７に配置されて、前記第１電線６１の前記第２接続線６１２まわりを取り囲む絶縁性の第１カバー壁部２１を有する。
【００４５】
第４態様の端子台１によれば、第１電線６１の移動を規制しつつ、第１電線６１の第２接続線６１２と第２電線６２の連結線６２３との間の絶縁を確保することができる。
【００４６】
本開示の第５態様の端子台１は、
前記支持体２０が、
前記電線通路部１７に配置されて、前記第３電線６３の前記連結線６３３の第２接続線６３２側の端部を取り囲むと共に、前記第２方向Ｚにおいて前記第２電線６２の前記連結線６２３まで延びる絶縁性の第２カバー壁部２２を有している。
【００４７】
第５態様の端子台１によれば、第３電線６３の移動を規制しつつ、第２電線６２の連結線６２３と第３電線６３の連結線６３３との間の絶縁を確保することができる。
【００４８】
本開示の第６態様の端子台１は、
前記第１電線６１、前記第２電線６２および前記第３電線６３の各々が棒状を有している。
【００４９】
第６態様の端子台１によれば、各電線６１、６２、６３を位置決めし易くなるので、各電線６１、６２、６３間の絶縁を容易に確保することができる。
【００５０】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００５１】
本開示の端子台は、例えば、リレーソケットとして用いることができる。
【符号の説明】
【００５２】
１  端子台
１０  ハウジング
１１  ベース
１１１  支持突起
１１２  突出部
１２  カバー
１３  設置面
１４、１５、１４１、１５１  開口
１６  接続面
１７  電線通路部
２０  支持体
２０１  底面
２１、２２、２３、２４  カバー壁部
３０、４０、５０、７０  端子対
３１、４１、５１、７１  第１接続端子
３２、４２、５２、７２  第２接続端子
６１、６２、６３、６４  電線
６１１、６２１、６３１  第１接続線
６１２、６２２、６３２  第２接続線
６１３、６２３、６３３  連結線
６３４  端部
６２４、６２５、６３５  溝
１００  電磁継電器
１１０  外部配線
【図１】
2020107426.tif 000003
【図２】
2020107426.tif 000004
【図３】
2020107426.tif 000005
【図４】
2020107426.tif 000006